(57)【要約】      （修正有）【課題】貼付工数が掛からず経済的で、内容量の残量を容易に読み取り可能に目盛りが印刷された吊り具付きラベルを提供する。【解決手段】医薬品の容器の側面に貼付され、透明な樹脂により形成されたラベル基材と、ラベル基材の裏面に粘着剤が塗布されて形成された粘着層と、ラベル基材の表面の一部に設けられた白印刷層を有する。白印刷層に設けられた表示部印刷層と、ラベル基材の一部に設けられた透明部と、透明部に印刷された目盛り１８を備える。ラベル基材と一体に形成され、弧状に設けられた吊り部１４を備える。【選択図】図１
2008064981.tif 000002
【特許請求の範囲】
【請求項１】
医薬品の容器側面に貼付される吊り具付きラベルおいて、透明な樹脂により形成されたラベル基材と、前記ラベル基材の裏面に粘着剤が塗布されて形成された粘着層と、前記ラベル基材の表面の一部に設けられた白印刷層と、前記白印刷層に設けられた表示部印刷層と、前記ラベル基材の一部に設けられた透明部と、前記透明部に印刷された目盛りと、前記ラベル基材と一体に形成され弧状に設けられた吊り部とを備えたことを特徴とする吊り具付きラベル。
【請求項２】
前記透明部は、前記ラベル基材の中央位置に設けられたことを特徴とする請求項１記載の吊り具付きラベル。
【発明の詳細な説明】
【技術分野】
【０００１】
この発明は、点滴などの医薬品瓶に貼り付けられ、吊り具が一体に設けられた吊り具付きラベルに関する。
【背景技術】
【０００２】
従来、点滴などの医薬品瓶には、点滴を行う際に瓶を懸架するため、吊り下げ可能に形成された吊り具付きラベルが瓶の側面に貼付されたものがある。例えば、特許文献１に示すように、医薬品瓶などの容器の側面の長方形のラベル部分に、半円状の吊り具部が設けられた吊り具付きラベルがあった。
【０００３】
また、点滴瓶等の容器の側面に、薬剤の投与量を知るための目盛りが記されたラベルが、表示ラベルとは別に貼付されることがある。点滴瓶に吊り具付きラベルが貼付されている場合では、吊り具付きラベルの端部に目盛りが印刷されたものもある。
【特許文献１】特開２００４−２３３４８１号公報
【発明の開示】
【発明が解決しようとする課題】
【０００４】
上記従来の技術の、点滴などの医薬品容器側面に貼付された吊り具付きラベル端部に印刷された目盛りでは、ラベル自体が不透明な樹脂で形成されていたり、不透明な印刷が全面に施されていたため、目盛り線の端部と容器内部の内容液の残量とを見比べることとなり、読み取り難いものであった。そのほか、吊り具付きラベルと別体の目盛りが印刷された透明なフィルムから成る目盛りラベルを、内容物の残量を計測し易い位置に貼付する場合では、容器側面へのラベルの貼付を２度行うことになり、作業に手間が掛かる上、材料費も掛かるものであった。
【０００５】
この発明は、上記従来技術の問題に鑑みて成されたもので、貼付工数が掛からず経済的で、内容量の残量を容易に読み取り可能に目盛りが印刷された吊り具付きラベルを提供することを目的とする。
【課題を解決するための手段】
【０００６】
この発明は、医薬品の容器側面に貼付される吊り具付きラベルであって、透明な樹脂により形成されたラベル基材と、前記ラベル基材の裏面に粘着剤が塗布されて形成された粘着層と、前記ラベル基材の表面の一部に設けられた白印刷層と、前記白印刷層に設けられた表示部印刷層と、前記ラベル基材の一部に設けられた透明部と、前記透明部に印刷された目盛りと、前記ラベル基材と一体に形成され弧状に設けられた吊り部とを備えた吊り具付きラベルである。
【０００７】
前記透明部は、前記ラベル基材の中央位置に設けることにより、視認しやすく好ましい。
【発明の効果】
【０００８】
この発明の吊り具付きラベルによれば、透明なラベル基材に目盛りを印刷して設けたため、目盛り越しに内容量を容易に読み取り可能であり、しかも一度の貼付作業で貼付でき、貼り付ける工数も掛からないものである。
【発明を実施するための最良の形態】
【０００９】
以下、この発明の吊り具付きラベルの一実施形態について、図１〜図３を基にして説明する。この実施形態の吊り具付きラベル１０は、図１に示すように、長方形に形成されたラベル本体１２から成り、ラベル本体１２の一長辺部分から適宜な幅の円弧状に延長して形成された吊り部１４が一体に設けられている。吊り部１４の両端部は、切り込みによりラベル本体１２のほぼ中央部まで延びて、切り込み線により区分けされている。また、吊り部１４の端部には、応力集中を避けるために湾曲した切り込みである湾曲部１６が形成されている。
【００１０】
吊り具付きラベル１０は、図２に示すように、ラベル本体１２を形成するラベル基材２２の厚さが、好ましくは１００μｍ以上有する透明なＰＥＴなどの樹脂から形成されている。そして、ラベル基材２２の貼付側である裏面には、粘着剤が塗布されて粘着層２４が形成され、図示しない剥離紙などが貼付されている。
【００１１】
また、ラベル本体１２の表面には、長手方向中央に適宜な幅で設けられた無色部分の透明部２０が設けられ、中央に目盛り１８のみが黒インキ等で印刷されている。
【００１２】
透明部２０の両側には、白色インキによる印刷が透明部２０以外全面に施されて、白印刷層２６が形成されている。この白印刷層２６は、透光性を無くすために凸版印刷で白色の印刷を２回以上施し形成すると良い。そのほか、フレキソ印刷、またはスクリーン印刷にて１回以上印刷して形成しても良い。白印刷層２６の上には、各色の印刷が適宜施されて文字や絵柄の表示部印刷層２８が形成されている。
【００１３】
次に、この実施形態の吊り具付きラベル１０の使用方法について説明する。まず、粘着層２４に貼付された剥離紙を剥離して、図３に示すように、点滴など医薬品の容器３０の側面の適宜な位置に巻きつけるように貼り付ける。この状態で、製薬メーカーから出荷される。そして、病院等の医療現場では、吊り部１４を捲り、容器３０の口を下向きにして、吊り部１４をフック３２などへ掛けて吊り下げ、点滴などを行う。
【００１４】
この実施形態の吊り具付きラベル１０によれば、透明なラベル基材２２から成る吊り具付きラベル１０の中央部に設けられた透明部２０に、目盛り１８のみが印刷されているため、目盛り１８越しに薬液の残量を容易に読み取ることができるものである。そして、不透明できれいな白色印刷層２６の上に表示部印刷層２８が形成されるため、表示部印刷層２８による内容が見易い。また、目盛り１８が吊り具付きラベル１０の中央に設けられていることにより、看護師等が正面から視認しやすく、確実な医療行為を行うことができる。その他、目盛り１８が吊り具付きラベル１０と一体に設けられているため経済的で、一度の貼付作業で貼付できて、貼り付け工数も掛からないものである。
【００１５】
また、目盛り１８が印刷される透過部２０は、ラベル基材２２自体が透明な材料から成るため、内容物の残量が読み取り可能であれば、ラベル本体１２のどの位置でも、形成可能なものである。
【００１６】
なお、この発明の吊り具付きラベルは上記実施形態に限定されるものではなく、吊り具付きラベルの吊り部により吊り下げ可能で、透明ラベル基材の目盛り越しに内容物が目視可能であれば、ラベル基材の材料は適宜設定可能である。また、目盛りの間隔や太さは適宜設定可能なものである。さらに、透明部の幅及び目盛りは、吊り具付きラベルを貼付する容器に合わせて適宜設定可能なものである。
【図面の簡単な説明】
【００１７】
【図１】この発明の一実施形態の吊り具付きラベルを示す概略図である。
【図２】図１のＡ−Ａ断面を示す概略断面図である。
【図３】この実施形態の吊り具付きラベルの使用状態を示す概略図である。
【符号の説明】
【００１８】
１０  吊り具付きラベル
１２  ラベル本体
１４  吊り部
１６  湾曲部
１８  目盛り
２０  透明部
２２  ラベル基材
２４  粘着層
２６  白印刷層
２８  表示部印刷層
３０  容器
【図１】
2008064981.tif 000003
【図２】
2008064981.tif 000004
【図３】
2008064981.tif 000005